(57)【要約】【課題】既存の機械式スイッチを利用して静電対策を強化することが可能なカードスロット装置を提供する。【解決手段】排出レバー４３の挿入を判定する挿入判定部４７を利用する。排出レバー４３を挿入することで、排出レバー４３が機械式スイッチを介してベタＧＮＤに接地できるようにする。この機械式スイッチにおいては、レバー駆動伝達板４４が機械式スイッチ導通線４６によりベタＧＮＤに導通している。さらに、排出レバー４３は導通部をもち、排出レバー４３が挿入された状態で、排出レバー４３の導通部をレバー駆動伝達板４４がもつ導通部に電気的に接続し、ベタＧＮＤへ接地させる。カードスロット装置４０は、カードＣが装着された状態で、カードＣ上の導通部のいずれかでシールド４１の一部などを介して排出レバー４３に導通するような構造をもち、上記のベタＧＮＤへの接地により、カードＣが排出レバー４３及び機械式スイッチを介して接地される。【選択図】図３
2006330971.tif 000002
【特許請求の範囲】
【請求項１】
絶縁面と導通面とを表面にもつカード型の電子機器を装着するためのカードスロット装置であって、
前記電子機器側の接続端子に接続するためのコネクタと、
一端が接地され、他端が、前記コネクタに前記電子機器を接続した際に、前記コネクタを介して前記電子機器の接続端子の一部に接続される第１接地手段と、
前記電子機器と前記コネクタとの電気的な接続の有無を判定する接続判定手段と、
導通部をもち前記電子機器を排出する操作を行うための排出レバー、及び該排出レバーが挿出された状態で該排出レバーを挿入することで前記電子機器を排出させる機構を有する排出手段と、
前記排出レバーの挿入によって接地側にスイッチングする機械式スイッチを有し、該機械式スイッチが接地側にスイッチングされるか否かによって前記排出レバーが挿入されているか否かを判定する挿入判定手段と、
前記排出レバーを挿入することで、該排出レバーを前記機械式スイッチを介して接地させる第２接地手段と、
前記電子機器が装着された状態で、該電子機器と前記排出レバーとを導通させる導通手段と、
を備え、前記電子機器が装着された状態で、該電子機器を前記導通手段及び第２接地手段により接地させることを特徴とするカードスロット装置。
【請求項２】
前記導通手段は、前記電子機器が挿入された状態で、前記電子機器の前記コネクタ側にある導通面と、前記排出レバーの導通部とにより導通させる手段であることを特徴とする請求項１に記載のカードスロット装置。
【請求項３】
前記導通手段は、前記電子機器が挿入された状態で、前記電子機器の側面にある導通面と、前記排出レバーの導通部とにより導通させる手段であることを特徴とする請求項１に記載のカードスロット装置。
【請求項４】
前記接続判定手段による判定結果及び前記挿入判定手段による判定結果に基づいて、前記電子機器の着脱を判定する着脱判定手段を、さらに備えたことを特徴とする請求項１乃至３のいずれか１項に記載のカードスロット装置。
【発明の詳細な説明】
【技術分野】
【０００１】
本発明は、カードスロット装置に関し、より詳細には、カード型記録媒体を装着するための、静電対策を施したカードスロット装置に関する。
【背景技術】
【０００２】
ＰＣカード，ＩＣカード，メモリカード，フォントカードなどのカード型記録媒体は、ＰＣやプリンタ等の機器に内蔵又は外付けされたカードスロット装置に装着され、機器内部の電気回路に端子を介して接続されることで、記録媒体に対する情報の読み出し又は読み出し及び書き込みが可能となっている。また、その他のカード型の電子機器としては、ＬＡＮカード，ＩＥＥＥ１３９４インターフェースカード，ＵＳＢインターフェースカードなど様々な機器があり、それぞれに対応したカードスロット装置が用意されている。なお、カードスロット装置としては、複数種類のカード型電子機器に対応可能なものも提案されている。
【０００３】
これらのカード型電子機器は、ユーザによってその着脱が容易に可能となっており、身体に静電気を帯電したユーザがカード型電子機器をカードスロット装置の挿入口から挿入した場合、その静電気がカード型電子機器を通してカードスロット装置の電極部（端子）に放電してしまう。その結果、その端子の先に接続されている電気回路やＩＣ等に、数ｋＶの電圧が印加されてしまうこともある。また、身体の静電気だけでなく、カードの出し入れ自体により静電気も発生し、同様に電気回路やＩＣ等に電圧が印加されてしまう。
【０００４】
図５は、従来技術による放電対策を施したカードスロット装置の一構成例を示す図で、図中、Ｃはカード型電子機器の一例としてのカード、６０はカードスロット装置、６１はシールド、６２は接地線、６３は排出レバー、６４はレバー駆動伝達板、６５は挿入検出部（プッシュスイッチ）、６５ａは挿入検出伝達部（ボタン）、６５ｂは可動接点板、６７は挿入判定部、６８は接続判定部、６８ａは接続判定線、６９はカード検出部である。
【０００５】
カードスロット装置６０は、カードＣの側の複数の接続端子Ａ，ａ等に接続するための複数の接続端子Ｂ，ｂ等を有するコネクタを備える。このコネクタは、カードスロット装置６０が組み込まれる機器側への電磁的影響を低減させるためのシールド６１が、通常設けられている。
【０００６】
また、接続端子ａは、カードＣ挿入時には、一端がＧＮＤに接地した接続端子ｂと電気的に接続しており、帯電した静電気の放電による電流の一部は、このカードＧＮＤへ流れることとなる。従来のカードスロット装置では、このような静電対策が施されている。また、接続端子Ａは、カードＣ挿入時、接続端子Ｂと電気的に接続しており、この電気的な接続の有無は、接続判定部６８（他の接続端子を介した他の信号処理を行う部位と共に、通常上記機器側に設けられる）により判定される。
【０００７】
そして、カードスロット装置６０は、カードＣを排出する操作を行うための排出レバー６３を有し、排出レバー６３が押入された状態でさらに押入することで排出レバー６３を押出し、且つ排出レバー６３が押出された状態で押入することでカードＣを排出させる排出機構を備える。排出レバー６３は、カードＣの挿入方向と同じ方向に挿入することでカードＣの排出を行うことができる。カードスロット装置６０は、このように、排出レバー６３が挿出された状態で排出レバー６３を挿入（押入）することでカードＣを排出させる排出機構を備える。
【０００８】
また、カードスロット装置６０は、排出レバー６３の挿入によって可動接点板６５ｂが接地（ベタＧＮＤ）側にスイッチングする機械式スイッチと、機械式スイッチが接地（ベタＧＮＤ）側にスイッチングされるか否かによって排出レバー６３が挿入されているか否かを判定する挿入判定部６７と、を有する挿入判定手段を備える。この機械式スイッチは、ボタン６５ａ及び可動接点板６５ｂでなるプッシュスイッチ６５と、レバー駆動伝達板６４とでなる。
【０００９】
そして、挿入判定部６７は、機械式スイッチの接地／非接地（可動接点板６５ｂの接地／非接地）により、カードＣの挿入／非挿入を判定する。従って、この挿入検出手段では、排出レバー６３が押入された状態で入状態となり、挿入判定部６７でカード有り（但し、実際にカードＣが挿入されていない場合もある）と判定され、逆に排出レバー６３が挿出された状態で切状態となり、挿入判定部６７でカード無しと判定される。また、挿入判定部６７による判定結果はカード検出部６９に伝送され、カード検出部６９は、接続判定部６８による判定結果と併せて、カードＣの着脱を判定する。
【００１０】
なお、排出レバー６３の挿入出に基づくカードの接続判定を行わない場合には、データ通信中にカードがユーザにいきなり抜かれたときにデータが破壊されてしまう可能性がある。排出レバー６３を少し挿入し、排出レバー６３が少し出た状態で、さらに排出レバー６３を押入して、はじめてカードＣが排出できる。このような機構を設けることで、データの破壊を防いで安全な状態でカードを抜くことを可能としている。
【００１１】
図６は、従来技術による放電対策を施したカードスロット装置の他の構成例を示す図で、図中、Ｃはカード型電子機器の一例としてのカード、７０はカードスロット装置、７１はシールド、７２は接地線、７３は排出レバー、７４はレバー駆動伝達板、７５は挿入検出部（プッシュスイッチ）、７５ａは挿入検出伝達部（ボタン）、７５ｂは可動接点板、７７は挿入判定部、７８は接続判定部、７８ａは接続判定線、７９はカード検出部である。
【００１２】
図６で説明する従来例は、図５で説明した従来例において、カードＣ上の側部にある導通部ｋからベタＧＮＤへの接地を可能としたものであり、重複部分の説明は省略する。従って、図６の従来例は、図５の従来例に比べ、側部ＧＮＤが追加された分だけ、放電を分散させることができる。
【００１３】
また、静電気によるＰＣカードの着脱検出の誤判定を防止するＰＣカード検出装置が提案されている（例えば、特許文献１を参照）。特許文献１に記載のＰＣカード検出装置は、ＰＣカードの装着の有無を２つの検出信号のレベル関係を検出することによって判定する。そして、そのレベル関係の検出でＰＣカードの装着ありとの判定が得られなかったとき、再度レベル関係の検出を行ない、検出毎にＰＣカードの装着の有無を判定する。
【００１４】
また、ＩＣカード等のカードを介して機器側電気回路へ放電される静電気の対策を施したカードスロット機構も提案されている（例えば、特許文献２を参照）。特許文献２に記載のカードスロット機構は、除電ブラシ，除電布，板バネ等からなる除電部材を設け、この除電部材を、挿入口から挿入されてくるカードに接触若しくは近接させることにより、カードに帯電した静電気を除電している。
【特許文献１】特開２００３−２４８７９６号公報
【特許文献２】特開平１０−３２０５０９号公報
【発明の開示】
【発明が解決しようとする課題】
【００１５】
上述のごとく、ユーザがカードの抜き差しを行うときにカード側に放電される静電気によって、カード側（カードを含むＰＣ，ＴＶ等の装置内）で誤動作する。しかしながら、従来の静電対策では、ＧＮＤが弱くて不十分であり、再生中などに停止してしまうなど、様々な接続側での誤動作が生ずる。
【００１６】
本発明は、上述のごとき実情に鑑みてなされたものであり、既存の機械式スイッチを利用して静電対策を強化することが可能なカードスロット装置を提供することを、その目的とする。
【課題を解決するための手段】
【００１７】
本発明は、上述のごとき課題を解決するために、以下の各技術手段でそれぞれ構成される。
【００１８】
第１の技術手段は、絶縁面と導通面とを表面にもつカード型の電子機器を装着するためのカードスロット装置であって、前記電子機器側の接続端子に接続するためのコネクタと、一端が接地され、他端が、前記コネクタに前記電子機器を接続した際に、前記コネクタを介して前記電子機器の接続端子の一部に接続される第１接地手段と、前記電子機器と前記コネクタとの電気的な接続の有無を判定する接続判定手段と、導通部をもち前記電子機器を排出する操作を行うための排出レバー、及び該排出レバーが挿出された状態で該排出レバーを挿入することで前記電子機器を排出させる機構を有する排出手段と、前記排出レバーの挿入によって接地側にスイッチングする機械式スイッチを有し、該機械式スイッチが接地側にスイッチングされるか否かによって前記排出レバーが挿入されているか否かを判定する挿入判定手段と、前記排出レバーを挿入することで、該排出レバーを前記機械式スイッチを介して接地させる第２接地手段と、前記電子機器が装着された状態で、該電子機器と前記排出レバーとを導通させる導通手段と、を備え、前記電子機器が装着された状態で、該電子機器を前記導通手段及び第２接地手段により接地させることを特徴としたものである。
【００１９】
第２の技術手段は、第１の技術手段において、前記導通手段は、前記電子機器が挿入された状態で、前記電子機器の前記コネクタ側にある導通面と、前記排出レバーの導通部とにより導通させる手段であることを特徴としたものである。
【００２０】
第３の技術手段は、第１の技術手段において、前記導通手段は、前記電子機器が挿入された状態で、前記電子機器の側面にある導通面と、前記排出レバーの導通部とにより導通させる手段であることを特徴としたものである。
【００２１】
第４の技術手段は、第１乃至第３のいずれかの技術手段において、前記接続判定手段による判定結果及び前記挿入判定手段による判定結果に基づいて、前記電子機器の着脱を判定する着脱判定手段を、さらに備えたことを特徴としたものである。
【発明の効果】
【００２２】
本発明によれば、カードスロット装置において、既存の機械式スイッチを利用して静電対策を強化することが可能となる。
【発明を実施するための最良の形態】
【００２３】
図１は、ＰＣカードの一例を示す外観図で、１はＰＣカード、２は接続部、３ａは端子側の絶縁部、３ｂは挿入側の絶縁部、４ａは端子側の導通部、４ｂは上面側の導通部、４ｃは側面側の導通部である。
【００２４】
本発明に係るカードスロット装置は、ＰＣカード１のように、絶縁面と導通面とを表面にもつカード型の電子機器を装着するための装置である。本発明に係るカードスロット装置は、ＰＣカードの他、ＩＣカード，メモリカード，フォントカードなどのカード型記録媒体を装着可能で、情報の読み書きや通信などの処理を実行可能なカードスロット装置であればよい。その組み込み方法としては、ＰＣ，プリンタ，テレビジョン受像機，レコーダ等の機器に内蔵するだけでなく、外付けであってもよく、機器内部の電気回路に端子を介して接続されることで、カード型記録媒体に対する情報の読み出し又は読み出し及び書き込みが可能であればよい。また、その他のカード型の電子機器としては、ＬＡＮカード，ＩＥＥＥ１３９４インターフェースカード，ＵＳＢインターフェースカードなど様々な機器があり、それぞれに対応したカードスロット装置が適用可能であり、また、複数種類のカード型電子機器に対応可能なものであってもよい。
【００２５】
図１で例示するＰＣカード１は、本発明に係るカードスロット装置（この例ではＰＣカード用のスロット装置）に挿入して電気的な接続を行う接続端子を有する接続部２を備える。ＰＣカード１は、その表面に絶縁面と導通面とをもつ。絶縁面としては、接続部２の表面の他に、接続端子側の絶縁部３ａ及び挿入側の絶縁部３ｂがそれぞれ２箇所に設けられている。特に絶縁部３ｂはユーザがＰＣカード１を取り扱う際に人体からの直接の帯電を少なくするために設けられている。また、導通面は、ＰＣカード１内部への外部からの電磁的影響を少なくするためや破損を防ぐためなどに設けられており、この例では、端子側の導通部４ａ、上面側の導通部４ｂ、及び側面側の導通部４ｃにより、ＰＣカード１内部が覆われるように構成される。
【００２６】
図２は、本発明に係るカードスロット装置の一つの実施例を示す図で、図１のＰＣカードを装着するためのカードスロット装置の一構成例を示す図である。ここで、図２（Ａ）はＰＣカード挿入前の状態を、図２（Ｂ）はＰＣカード挿入後の状態を、図２（Ｃ）はＰＣカード挿出前の状態を、それぞれ示している。
【００２７】
また、図２において、１０はカードスロット装置、１１ａ，１１ｂは筐体側部、１１ｃは筐体奥部、１１ｄはバネ止め部、１１ｅはレバー押入伝達板、１２は筐体底部、１３はカード接触部、１４，１５はカード排出板、１４ａ，１５ａはカード押出部、１５ｂはレバー押入伝達板接触部、１６は接続端子、１７は基盤、１８は接続端子の端末部、１９ａ〜１９ｄは取付部、２０は排出レバー、２１は操作部、２２はレバー本体、２２ａはレバー本体の伝導板接触部（クランク部）、２３はバネ、３１はレバー駆動伝達板、３２は挿入検出部（プッシュスイッチ）、３３は挿入検出伝達部（ボタン）、３４は可動接点板、３５は挿入判定部、３６は接続判定部である。
【００２８】
図２で例示するカードスロット装置１０は、主として、筐体側部１１ａ，１１ｂ及び筐体奥部１１ｃでなる樹脂製の筐体本体に、導体でなる筐体底部１２及び図示しない筐体上部を取り付けて構成される。そして、筐体側部１１ａには排出レバー２０が取り付けられている。排出レバー２０は、ユーザが押入操作を行う操作部２１が、レバー本体２２の一端に取り付けられており、導通部をもったレバー本体２２の他端にはバネ２３が取り付けられている。バネ２２の他端は、筐体側部１１ａに取り付けられたバネ止め部１１ｄにより止められている。また、カード接触部１３は、接続端子１６にＰＣカード１を接続する際に、ＰＣカード１の端子側の導通部４ａと接して固定させる部位であり、このとき導通部４ａとは導通する。
【００２９】
また、ＰＣカード１の排出機構として、排出レバー２０が押出された状態から押入されることでＰＣカード１を排出するカード排出板１４，１５が配設されている。カード押出部１４ａ，１５ａは、ＰＣカード１が排出されるときにＰＣカード１に接触して押し出し、逆にＰＣカード１が挿入されるときにＰＣカード１に押入される部位である。レバー押入伝達板接触部１５ｂは、ＰＣカード１の排出時に、レバー本体２２と連動してレバー押入伝達板１１ｅを介し、カード押出部１４ａ，１５ａでＰＣカード１を押し出すように可動させる部位である。レバー押入伝達板接触部１５ｂは、逆にＰＣカード１が挿入されるときに、カード排出板１５がユーザ側に移動することでレバー押入伝達板１１ｅもユーザ側に移動させる部位でもある。そして、この排出機構では、排出レバー２０を少し挿入し、排出レバー２０が少し突出した状態で、さらに排出レバー２０を押入して、はじめてＰＣカード１が排出できるようになっている。
【００３０】
接続端子１６は、コネクタの一部であり、接続端子の端末部１８において、基盤１７と半田付けされている。また、基盤１７の各接続端子１６に該当する部分は、カードスロット装置１０を組み込む機器側に導通している。カードスロット装置１０は、組み込む機器側に、取付部１９ａ〜１９ｄにより導通して固定される。
【００３１】
また、レバー本体２２はクランク形状の伝導板接触部２２ａをもち、この伝導板接触部２２ａにより、レバー駆動伝達板３１を介して挿入検出伝達部（ボタン）３３を押下するよう構成されている。さらに、挿入検出部３２は、ボタン３３の押下により可動接点板３４をＧＮＤに接地し、ボタン３３が押下されていないときには可動接点板３４が浮いた状態となるプッシュスイッチである。また、可動接点板３４の端子には挿入判定部３５に接続されており、挿入判定部３５は、ボタン３３が押下されていないときには所定の電圧値を示して排出レバー２０の未挿入を検出し、接地時の電圧値との比較により、排出レバー２０の挿入／未挿入を判定する。
【００３２】
このように、挿入判定部３５は、ボタン３３及び可動接点板３４でなるプッシュスイッチ３２とレバー駆動伝達板３１とを有する機械式スイッチの接地／非接地により、ＰＣカード１の挿入／非挿入を判定する。挿入判定部３５での判定は、接続端子１６とＰＣカード１の接続部４ａとの電気的な接続を導通状態により判定する接続判定部３６における判定を補佐するために用いられる。挿入判定部３５での判定を行わない場合には、データ通信中にカードがユーザにいきなり抜かれたときにデータが破壊されてしまう可能性がある。
【００３３】
上述のごとき構成に加え、カードスロット装置１０においては、レバー本体２２の導通部（伝導板接触部２２ａを含む）は、ＰＣカード１が挿入された状態で、ＰＣカード１の導通面と導通するようになっている。さらに、レバー駆動伝達板３１は導通部をもち、且つ、レバー駆動伝達板３１はプッシュスイッチ３２のＧＮＤと接続されており、さらに、レバー駆動伝達板３１の導通部と伝導板接触部２２ａの導通部とが接触した際には導通するようになっている。
【００３４】
このような構成により、排出レバー２０が押入された状態、すなわち図２（Ｃ）で示すＰＣカード１を取り出す前の状態以外の状態で、レバー本体２２は接地されている。従って、図２（Ｂ）で示すＰＣカード１が挿入された状態にあっては、ＰＣカード１の導通面は、レバー本体２２を介して接地されていることとなり、静電気を逃がすことが可能となる。なお、この他にも、基盤１７には、ＰＣカードの接続部（導通部）４ａと接続してＧＮＤに接地させるようなラインが設けられており、レバー本体２２を介した接地により、このラインからのＧＮＤへ流れる電流を分散させることができる。
【００３５】
図１及び図２を参照して、主に、ＰＣカード用のカードスロット装置の一構成例について説明したが、以下に、本発明に係るカードスロット装置について、より一般的な説明を行う。
【００３６】
図３は、本発明の一実施形態に係るカードスロット装置の一構成例を示す図で、図中、Ｃはカード型電子機器（以下、単に「カード」という）、４０はカードスロット装置、４１はシールド、４２は接地線、４３は排出レバー、４４はレバー駆動伝達板、４５は挿入検出部（プッシュスイッチ）、４５ａは挿入検出伝達部（ボタン）、４５ｂは可動接点板、４６は機械式スイッチ導通線、４７は挿入判定部、４８は接続判定部、４８ａは接続判定線、４９はカード検出部である。
【００３７】
本実施形態に係るカードスロット装置４０は、カードＣ側の複数の接続端子Ａ，ａ等に接続するための複数の接続端子Ｂ，ｂ等を有するコネクタを備える。このコネクタは、カードスロット装置４０が組み込まれる機器側への電磁的影響を低減させるためのシールド４１が、通常設けられている。
【００３８】
また、接続端子ａは、カードＣ挿入時には、一端がＧＮＤに接地した接続端子ｂと電気的に接続しており、帯電した静電気の放電による電流の一部は、このカードＧＮＤへ流れることとなる。また、接続端子Ａは、カードＣ挿入時、接続端子Ｂと電気的に接続しており、この電気的な接続の有無は、接続判定部４８（他の接続端子を介した他の信号処理を行う部位と共に、通常上記機器側に設けられる）により判定される。
【００３９】
そして、カードスロット装置４０は、カードＣを排出する操作を行うための排出レバー４３を有し、排出レバー４３が押入された状態でさらに押入することで排出レバー４３を押出し、且つ排出レバー４３が押出された状態で押入することでカードＣを排出させる排出機構を備える。排出レバー４３は、カードＣの挿入方向と同じ方向に挿入することでカードＣの排出を行うことができる。カードスロット装置４０は、このように、排出レバー４３が挿出された状態で排出レバー４３を挿入（押入）することでカードＣを排出させる排出機構を備える。
【００４０】
また、カードスロット装置４０は、排出レバー４３の挿入によって可動接点板４５ｂが接地（ベタＧＮＤ）側にスイッチングする機械式スイッチと、機械式スイッチが接地（ベタＧＮＤ）側にスイッチングされるか否かによって排出レバー４３が挿入されているか否かを判定する挿入判定部４７と、を有する挿入判定手段を備える。この機械式スイッチは、ボタン４５ａ及び可動接点板４５ｂでなるプッシュスイッチ４５と、レバー駆動伝達板４４とでなる。
【００４１】
そして、挿入判定部４７は、機械式スイッチの接地／非接地（可動接点板４５ｂの接地／非接地）により、カードＣの挿入／非挿入を判定する。従って、この挿入検出手段では、排出レバー４３が押入された状態で入状態となり、挿入判定部４７でカード有り（但し、実際にカードＣが挿入されていない場合もある）と判定され、逆に排出レバー４３が挿出された状態で切状態となり、挿入判定部４７でカード無しと判定される。
【００４２】
また、挿入判定部４７による判定結果はカード検出部４９に伝送され、カード検出部４９は、接続判定部４８による判定結果と併せて、カードＣの着脱を判定する。
【００４３】
そして、排出レバー４３を挿入することで、排出レバー４３が機械式スイッチを介して（レバー駆動伝達板４４及び機械式スイッチ導通線４６を経由して）、上述のベタＧＮＤに接地できるようになっている。ここでは、機械式スイッチにおいて、レバー駆動伝達板４４が機械式スイッチ導通線４６によりベタＧＮＤに導通している。さらに、排出レバー４３は導通部をもち、排出レバー４３が挿入された状態で、排出レバー４３の導通部をレバー駆動伝達板４４がもつ導通部に電気的に接続し、ベタＧＮＤへ接地させる。
【００４４】
また、カードスロット装置４０は、カードＣが装着された状態で、カードＣ上の導通部のいずれかでシールド４１の一部などを介して排出レバー４３に導通するような構造をもち、上記のベタＧＮＤへの接地により、カードＣが排出レバー４３及び機械式スイッチを介して接地されることとなる。この接地により、放電による電流を、カードＧＮＤ側だけでなく、ベタＧＮＤへも流すことが可能となる。ここで例示したように、本発明では、カードＣが装着された状態で、カードＣと排出レバー４３とを導通させる手段を具備する。
【００４５】
図３では、この手段の一部として、カードＣのコネクタ側にある導通面と、排出レバー４３の挿入方向先端部とにより導通させるようにした例を示している。この例では、カードＣ上の点ｃ、シールド４１上のｄ，ｅ、排出レバー４３上のｆ，ｇ、レバー駆動伝達板４４のｈ、機械式スイッチ導通線４６、及び接点ｉの順で、放電が可能となっている。
【００４６】
図５及び図６で説明した従来例をはじめとする従来技術では、カード検出ラインの機械式スイッチ部がベタＧＮＤに対して浮いていたので、カードＧＮＤへ放電による全電流が流れていた。このように、従来、放電部とカードＧＮＤ間でカード入出力ラインへ放電パルスがのり、セット側のＩＣが誤動作するといったことが生じていた。しかし、本発明を適用することで、ＧＮＤへの別経路を追加し、カードＧＮＤへ流れる電流量を減らすことが可能となる。放電による電流をカードＧＮＤ以外のＧＮＤへ逃がしてやることで、カードＧＮＤへの電流量が少なくなり、信号ラインへの影響を抑え、放電による誤動作が改善される。図３で示した実施形態では、カードＣ、排出レバー４３、機械式スイッチ部、ベタＧＮＤの順番で導通させることで、カードＧＮＤへの電流量が減少し、放電による誤動作の改善効果を得ている。
【００４７】
図４は、本発明の他の実施形態に係るカードスロット装置の一構成例を示す図で、図中、Ｃはカード、５０はカードスロット装置、５１はシールド、５２は接地線、５３は排出レバー、５４はレバー駆動伝達板、５５は挿入検出部（プッシュスイッチ）、５５ａは挿入検出伝達部（ボタン）、５５ｂは可動接点板、５６は機械式スイッチ導通線、５７は挿入判定部、５８は接続判定部、５８ａは接続判定線、５９はカード検出部である。
【００４８】
図４で説明する実施形態は、図３で説明した実施形態において、ＧＮＤへの別経路を側部ＧＮＤ側に持たせたものであり、重複部分の説明は省略する。本実施形態における導通手段は、カードＣが挿入された状態で、カードＣの側面にある導通面と、排出レバー５３の導通部とにより導通させる。
【００４９】
図４では、この手段の一部として、カードＣの側面にある導通面と、排出レバー５３の導通部とにより、結果的に、カードＣ上の点ｋ、排出レバー５３上における点ｋと対応した点ｌ、排出レバー５３上の点ｇ、レバー駆動伝達板５４のｈ、機械式スイッチ導通線５６、及び接点ｉの順で、放電が可能となっている。この経路を加えることにより、図６で示したような従来の側部ＧＮＤからベタＧＮＤ（機械式スイッチのベタＧＮＤとは異なる）への経路と、シールド５１の点ｂ及び接地線５２を介したカードＧＮＤへの経路とを強化することができる。
【００５０】
図４で示した実施形態では、カードＣの側部ＧＮＤ、排出レバー５３、機械式スイッチ部、ベタＧＮＤの順番で導通させることで側部ＧＮＤの強化になり、側部ＧＮＤからの電流量が増え、カードＧＮＤへの電流量（信号ラインの電流量）が減少し、放電による誤動作の改善効果を得ている。すなわち、本実施形態では、従来から提案されている側部ＧＮＤを利用して、側部ＧＮＤ−ベタＧＮＤ間で導通させて強化を図っている。このように、放電による電流の２つの経路のうち、側部ＧＮＤを強化することで、信号ラインを流れる電流量が減り、放電による誤動作が改善される。
【００５１】
以上、本発明では、機械式検出スイッチの可動部を使って、カードに帯電した電荷をＧＮＤに導通させて逃がす。カード内部、セット側へ大電流が流れるのを防止するために、カードのＧＮＤを強化する。電流はインピーダンスの低い方へ流れるため、ＧＮＤの強化により、カードユニットの静電対策効果が得られる。すなわち、本発明によれば、カードスロット装置において、既存の機械式スイッチを利用して静電対策を強化することが可能となる。本発明では、上述したように、カードスロット機構及びインターフェイス機構を用いて、電荷を逃がす経路を複数設けることで、静電対策を強化している。なお、本発明において、図３及び図４で説明した実施形態を併用してさらにＧＮＤを強化してもよいことは、言及するまでもない。
【図面の簡単な説明】
【００５２】
【図１】ＰＣカードの一例を示す外観図である。
【図２】本発明に係るカードスロット装置の一つの実施例を示す図で、図１のＰＣカードを装着するためのカードスロット装置の一構成例を示す図である。
【図３】本発明の一実施形態に係るカードスロット装置の一構成例を示す図である。
【図４】本発明の他の実施形態に係るカードスロット装置の一構成例を示す図である。
【図５】従来技術による放電対策を施したカードスロット装置の一構成例を示す図である。
【図６】従来技術による放電対策を施したカードスロット装置の他の構成例を示す図である。
【符号の説明】
【００５３】
１…ＰＣカード、２…接続部、３ａ…端子側の絶縁部、３ｂ…挿入側の絶縁部、４ａ…端子側の導通部、４ｂ…上面側の導通部、４ｃ…側面側の導通部、１０，４０，５０…カードスロット装置、１１ａ，１１ｂ…筐体側部、１１ｃ…筐体奥部、１１ｄ…バネ止め部、１１ｅ…レバー押入伝達板、１２…筐体底部、１３…カード接触部、１４，１５…カード排出板、１４ａ，１５ａ…カード押出部、１５ｂ…レバー押入伝達板接触部、１６…接続端子、１７…基盤、１８…接続端子の端末部、１９ａ〜１９ｄ…取付部、２０…排出レバー、２１…操作部、２２…レバー本体、２２ａ…レバー本体の伝導板接触部（クランク部）、２３…バネ、３１…レバー駆動伝達板、３２…挿入検出部（プッシュスイッチ）、３３…挿入検出伝達部（ボタン）、３４…可動接点板、３５…挿入判定部、３６…接続判定部、４１，５１…シールド、４２，５２…接地線、４３，５３…排出レバー、４４，５４…レバー駆動伝達板、４５，５５…挿入検出部（プッシュスイッチ）、４５ａ，５５ａ…挿入検出伝達部（ボタン）、４５ｂ，５５ｂ…可動接点板、４６，５６…機械式スイッチ導通線、４７，５７…挿入判定部、４８，５８…接続判定部、４８ａ，５８ａ…接続判定線、４９，５９…カード検出部、Ｃ…カード型電子機器（カード）。
【図１】
2006330971.tif 000003
【図２】
2006330971.tif 000004
【図３】
2006330971.tif 000005
【図４】
2006330971.tif 000006
【図５】
2006330971.tif 000007
【図６】
2006330971.tif 000008